(57)【要約】【課題】画像処理装置で、どのキーが選択されたかが外部機器のユーザに知られてしまい、特に仮想キーボードを用いてパスワードなどを入力している場合は、そのセキュリティが確保されない。【解決手段】表示部に表示している画像情報をクライアントに送信して表示させる情報処理装置であって、表示している画像情報にカーソルのイメージを合成して記憶させるとともに、前記表示部に表示する画像情報が秘匿性を有する情報を入力するための画面の情報であると判定すると、その画像情報からカーソルのイメージの閲覧を制限してクライアントに送信する。【選択図】  図４
2018097750.tif 000002
【特許請求の範囲】
【請求項１】
表示用の画像情報を配信する第１の情報処理装置と、前記画像情報を受信して表示する第２の情報処理装置とを有する情報処理システムであって、
前記第１の情報処理装置は、
前記画像情報を記憶する記憶手段と、
前記第２の情報処理装置からの接続の要求を受信する受信手段と、
前記画像情報が秘匿性を有する情報を入力するための画面の情報か否かを判定する判定手段と、
前記画像情報にカーソルのイメージを合成して前記記憶手段に記憶させるとともに、前記判定手段が前記画像情報が秘匿性を有する情報を入力するための画面の情報と判定すると、前記画像情報から前記カーソルのイメージの閲覧を制限して前記第２の情報処理装置に送信する制御手段とを有し、
前記第２の情報処理装置は、
ユーザの操作による入力イベントを前記第１の情報処理装置に送信する送信手段と、
前記第１の情報処理装置から送信される前記画像情報を受信して表示部に表示させる表示手段と、
を有することを特徴とする情報処理システム。
【請求項２】
前記第１の情報処理装置は、前記第２の情報処理装置との接続が切断されると、前記制御手段は、前記画像情報に合成した前記カーソルのイメージを消去することを特徴とする請求項１に記載の情報処理システム。
【請求項３】
前記制御手段は、前記入力イベントの受信に応じて、前記画像情報を前記第２の情報処理装置に送信することを特徴とする請求項１又は２に記載の情報処理システム。
【請求項４】
前記第１の情報処理装置は、
前記第２の情報処理装置からの入力イベントを受信すると、前記入力イベントに基づいて前記記憶手段に記憶している画像情報を更新する更新手段を、更に有することを特徴とする請求項１乃至３のいずれか１項に記載の情報処理システム。
【請求項５】
前記第１の情報処理装置と前記第２の情報処理装置は、ＶＮＣを使用して接続されていることを特徴とする請求項１乃至４のいずれか１項に記載の情報処理システム。
【請求項６】
表示部に表示している画像情報をクライアントに送信して表示させる情報処理装置であって、
前記表示部に表示する画像情報を記憶する記憶手段と、
前記画像情報が秘匿性を有する情報を入力するための画面の情報か否かを判定する判定手段と、
前記画像情報にカーソルのイメージを合成して前記記憶手段に記憶させるとともに、前記判定手段が前記画像情報が秘匿性を有する情報を入力するための画面の情報であると判定すると、前記画像情報から前記カーソルのイメージの閲覧を制限して前記クライアントに送信するように制御する制御手段と、
を有することを特徴とする情報処理装置。
【請求項７】
前記クライアントとの接続が切断されると、前記制御手段は、前記画像情報に合成した前記カーソルのイメージを消去することを特徴とする請求項６に記載の情報処理装置。
【請求項８】
前記制御手段は、前記判定手段が前記画像情報が秘匿性を有する情報を入力するための画面の情報でないと判定すると、前記記憶手段に記憶されている前記画像情報を前記クライアントに送信することを特徴とする請求項６に記載の情報処理装置。
【請求項９】
前記制御手段は、前記クライアントからの入力イベントの受信に応じて、前記画像情報を前記クライアントに送信することを特徴とする請求項６又は８に記載の情報処理装置。
【請求項１０】
表示部に表示している画像情報をクライアントに送信して表示させる情報処理装置を制御する制御方法であって、
前記表示部に表示する画像情報をメモリに記憶する記憶工程と、
前記画像情報が秘匿性を有する情報を入力するための画面の情報か否かを判定する判定工程と、
前記画像情報にカーソルのイメージを合成して前記メモリに記憶させるとともに、前記判定工程が前記画像情報が秘匿性を有する情報を入力するための画面の情報であると判定すると、前記画像情報から前記カーソルのイメージの閲覧を制限して前記クライアントに送信するように制御する制御工程と、
を有することを特徴とする情報処理装置の制御方法。
【請求項１１】
コンピュータを、請求項６乃至９のいずれか１項に記載の情報処理装置の各手段として機能させるためのプログラム。
【発明の詳細な説明】
【技術分野】
【０００１】
本発明は、情報処理システム、情報処理装置、その制御方法とプログラムに関するものである。
【背景技術】
【０００２】
製品の使い方やトラブル対応の処置が複雑になるにつれ、顧客が直接メーカのコールセンタに電話して質問し、使い方やトラブルの対処方法等に関する回答を得るということが頻繁に行われている。このようなトラブル等に対する処置を適切かつ迅速に行うために、遠隔地から操作者の端末に直接ログインし、操作者の環境の設定を変更して支援するシステムが考えられている。
【０００３】
また最近では、ＶＮＣ（Ｖｉｒｔｕａｌ  Ｎｅｔｗｏｒｋ  Ｃｏｍｐｕｔｉｎｇ）を利用し、あるコンピュータのデスクトップ画面を、ネットワークを介して他のコンピュータに表示させて操作することが可能になっている。この技術を利用して、例えば、コールセンタのオペレータが、顧客の装置を遠隔操作し、その装置の保守や、操作者の操作を支援することが可能になる。また、コールセンタのオペレータが顧客の装置を遠隔操作し、操作した軌跡をカーソル等で示すことにより、その顧客に、その装置の操作手順を分かりやすく説明することができる。
【０００４】
また通常はカーソルを表示しない画像処理装置に対して、遠隔地から、その装置の操作方法や設定方法等を説明するサポート処理を行う際、そのサポートを円滑に行うために、画像処理装置にカーソルを表示させることが考えられている。それにより、例えばコールセンタ等でカーソルを操作した軌跡に沿って、その画像処理装置に表示しているカーソルを移動させることにより、その装置の操作方法や設定方法等を説明するシステムが考えられている（例えば、特許文献１参照）。
【先行技術文献】
【特許文献】
【０００５】
【特許文献１】特開２０１４−１５３７７６号公報
【発明の概要】
【発明が解決しようとする課題】
【０００６】
画像処理装置でのカーソル表示は、その画像処理装置のオペレーションシステムの制御により行われることが一般的である。このカーソル表示は、操作パネルへのタッチ操作が行われると、タッチされた位置にカーソル表示も移動することが一般的である。
【０００７】
上述のＶＮＣ等を利用して、画像処理装置の表示部に表示されている画面を、遠隔地側の外部機器に公開している状態で仮想キーボード（又はスクリーンキーボード、或いはソフトウェアキーボードともいう）を使用する。このとき、画像処理装置でのタッチ操作により選択されたキーに、カーソルが移動して外部機器で表示されることになる。従って、画像処理装置で、どのキーが選択されたかが外部機器のユーザに知られてしまい、特に仮想キーボードを用いてパスワードなどを入力している場合は、そのセキュリティが確保されないという課題が生じる。
【０００８】
本発明の目的は、上記従来技術の問題点を解決することにある。
【０００９】
本発明の特徴は、表示している画面の画像情報をクライアントに送信して表示させる際、秘匿性を有する画面を表示している場合は、その画面にカーソルを表示させないようにする技術を提供することにある。
【課題を解決するための手段】
【００１０】
上記目的を達成するために本発明の一態様に係る情報処理システムは以下のような構成を備える。即ち、
表示用の画像情報を配信する第１の情報処理装置と、前記画像情報を受信して表示する第２の情報処理装置とを有する情報処理システムであって、
前記第１の情報処理装置は、
前記画像情報を記憶する記憶手段と、
前記第２の情報処理装置からの接続の要求を受信する受信手段と、
前記画像情報が秘匿性を有する情報を入力するための画面の情報か否かを判定する判定手段と、
前記画像情報にカーソルのイメージを合成して前記記憶手段に記憶させるとともに、前記判定手段が前記画像情報が秘匿性を有する情報を入力するための画面の情報と判定すると、前記画像情報から前記カーソルのイメージの閲覧を制限して前記第２の情報処理装置に送信する制御手段とを有し、
前記第２の情報処理装置は、
ユーザの操作による入力イベントを前記第１の情報処理装置に送信する送信手段と、
前記第１の情報処理装置から送信される前記画像情報を受信して表示部に表示させる表示手段と、を有することを特徴とする。
【発明の効果】
【００１１】
本発明によれば、表示している画面の画像情報をクライアントに送信して表示させる際、秘匿性を有する画面を表示している場合は、その画面にカーソルを表示させないようにできる。これにより、情報処理装置を利用するユーザのセキュリティが確保できるという効果がある。
【００１２】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１３】
添付図面は明細書に含まれ、その一部を構成し、本発明の実施形態を示し、その記述と共に本発明の原理を説明するために用いられる。
【図１】本発明の実施形態に係る情報処理システムの全体図。
【図２】本発明の実施形態に係る画像処理装置のハードウェア構成を示すブロック図。
【図３】本実施形態に係る画像処理装置のソフトウェア構成を示すブロック図。
【図４】本発明の実施形態に係る画像処理装置の処理を説明するフローチャート。
【図５】本実施形態に係る画像処理装置がＶＲＡＭに記憶した画像情報を操作部の表示部に表示した例を示す図。
【発明を実施するための形態】
【００１４】
以下、本発明を実施するための形態について図面を用いて説明する。尚、以下の実施形態は特許請求の範囲に係る本発明を限定するものでなく、また本実施形態で説明されている特徴の組み合わせの全てが本発明の解決手段に必須のものとは限らない。
【００１５】
図１は、本発明の実施形態に係る情報処理システムの全体図である。
【００１６】
図１において、画像処理装置１０１は、ＬＡＮ１０２を介してクライアント端末１０３と接続している。また画像処理装置１０１は、情報処理装置としてのサーバ（ＶＲＡＭの内容を送り出す側）として機能しており、またクライアント端末１０３がクライアント、即ち、画像処理装置１０１のＶＲＡＭ（ビデオメモリ）の内容を受信して表示する。
【００１７】
図２は、本発明の実施形態に係る画像処理装置１０１のハードウェア構成を示すブロック図である。
【００１８】
ＣＰＵ２０１を含む制御部２００は、画像処理装置１０１全体の動作を制御する。ＣＰＵ２０１は、ＲＯＭ２０２に記憶されたブートプログラムにより、ＨＤＤ２０５にインストールされているＯＳや制御プログラムを読み出してＲＡＭ２０３に展開し、その展開されたプログラムに従って読取制御や送信制御などの各種制御を行う。ＲＡＭ２０３は、ＣＰＵ２０１の主メモリ、ワークエリア等の一時記憶領域として用いられる。またＲＡＭ２０３は、仮想ＶＲＡＭとして、画面表示用情報を一時保持する記憶領域としても用いられる。ＶＲＡＭ２０４は、ＲＡＭ２０３の仮想ＶＲＡＭ領域から書き込まれる画面表示用情報を保持する記憶領域である。尚、ＲＡＭ２０３の一部の領域をＶＲＡＭ２０４として使用しても良い。ＨＤＤ（ハードディスクドライブ）２０５は、画像データや各種プログラム、或いは各種情報テーブルを記憶する。
【００１９】
操作部Ｉ／Ｆ２０６は、操作部２１０と制御部２００とを接続する。操作部２１０には、タッチパネル機能を有する表示部やキーボードなどが備えられている。また操作部２１０は、ＶＲＡＭ２０４に保持されている画像情報を基に表示部に画像を表示する。プリンタＩ／Ｆ２０７は、プリンタ２１１と制御部２００とを接続する。プリンタ２１１で印刷すべき画像データは、プリンタＩ／Ｆ２０７を介して制御部２００からプリンタ２１１に転送され、プリンタ２１１により記録媒体（シート）に印刷される。スキャナＩ／Ｆ２０８は、スキャナ２１２と制御部２００とを接続する。スキャナ２１２は、原稿上の画像を読み取って画像データを生成し、その画像データをスキャナＩ／Ｆ２０８を介して制御部２００に入力する。ネットワークＩ／Ｆ２０９は、制御部２００をＬＡＮ１０２に接続する。ネットワークＩ／Ｆ２０９は、ＬＡＮ１０２上の外部装置に画像データや情報を送信するなど、ＬＡＮ１０２上の外部装置から各種情報を受信する。
【００２０】
図３は、本実施形態に係る画像処理装置１０１のソフトウェア構成を示すブロック図である。尚、図３に示す各部は、画像処理装置１０１に備えられているＣＰＵ２０１が、ＨＤＤ２０５に格納された制御プログラムをＲＡＭ２０３に展開して実行することにより実現される。
【００２１】
画像処理装置１０１は、入力イベント受信部３０１、入力イベント作成部３０２、画像データ作成部３０３、画像データ送信部３０４を備えている。入力イベント受信部３０１は、クライアント端末１０３から送信された入力イベント信号を、ＬＡＮ１０２を介して受信してＲＡＭ２０３に保持する。入力イベント作成部３０２は、入力イベント受信部３０１で受信した入力イベント信号に基づいて、画像処理装置１０１に対する入力イベント信号を生成して画像データ作成部３０３に送る。画像データ作成部３０３は、この入力イベント信号を受け取ると、その内容を反映した画像情報を作成してＲＡＭ２０３の仮想ＶＲＡＭ領域に保持する。画像データ送信部３０４は、ＲＡＭ２０３の仮想ＶＲＡＭ領域に保持された画像情報を、ＬＡＮ１０２を介してクライアント端末１０３に送信する。尚、ＲＡＭ２０３の仮想ＶＲＡＭ領域から書き込まれたＶＲＡＭ２０４に保持する画像情報を、クライアント端末１０３に送信してもよい。
【００２２】
図４は、本発明の実施形態に係る画像処理装置１０１の処理を説明するフローチャートである。この処理は、画像処理装置１０１がクライアント端末１０３に表示させる画像情報を配信しているときに、画像処理装置１０１が、その画面情報にカーソルを合成して操作部２１０に表示する処理を説明している。図４のフローチャートに示す各ステップは、画像処理装置１０１のＣＰＵ２０１が、ＲＯＭ２０２或いはＨＤＤ２０５に格納されている制御プログラムをＲＡＭ２０３に展開して実行することにより実現される。
【００２３】
この処理はクライアント端末１０３から入力イベントがあることにより開始される。まずＳ４０１でＣＰＵ２０１は、クライアント端末１０３から接続要求を受信したか否かを判定する。ここでＣＰＵ２０１が、クライアント端末１０３から接続要求を受信していると判定した場合はＳ４０２に進む。一方、そうでないときはＳ４１２に進み、ＲＡＭ２０３の仮想ＶＲＡＭ領域に保持された画像情報を操作部２１０の表示部に表示して、この処理を終了する。
【００２４】
Ｓ４０２でＣＰＵ２０１は、ＲＯＭ２０２もしくはＨＤＤ２０５に記憶されているカーソルのイメージをＲＡＭ２０３に読み込む。そしてＣＰＵ２０１は、ＲＡＭ２０３の仮想ＶＲＡＭ領域が保持する画像情報に、そのカーソルのイメージを合成して、仮想ＶＲＡＭ領域に記憶する。
【００２５】
Ｓ４０３でＣＰＵ２０１は、ＲＡＭ２０３の仮想ＶＲＡＭ領域が保持している、表示させる画像情報がパスワード入力のための画面であるか否か判定する。即ち、操作部２１０の表示部にパスワード入力画面を表示しているか判定する。ＣＰＵ２０１は仮想キーボード画面を表示する際に、パスワードを入力するためのキーボード画面であるか、そうでないかの情報を付与する。パスワードを入力するためのキーボード画面であることを示す情報が付与されている仮想キーボード画面が開かれている場合は、表示部にパスワード入力画面を表示していると判断する。こうして表示部にパスワード入力のための画面を表示していると判定するとＳ４０４へ進む。そうでないときはＳ４０５へ進む。Ｓ４０４でＣＰＵ２０１は、画像情報に合成されているカーソルのイメージを表示しないようにしてＳ４０８へ進む。具体的には、ＣＰＵ２０１は、Ｓ４０２でＲＡＭ２０３にロードしたカーソルのイメージを消去してＳ４０８に進む。
【００２６】
従って、パスワードの入力時は、表示部の表示される画面にはカーソルが表示されず、またクライアントに送信する画像情報にもカーソルが含まれない。
【００２７】
一方Ｓ４０５でＣＰＵ２０１は、画像情報にカーソルのイメージを合成してＳ４０６へ進む。つまり、表示部にパスワード入力のための画面を表示していない場合は、その画面にカーソルを表示することになる。Ｓ４０６でＣＰＵ２０１は、クライアント端末１０３から送信される入力イベントを受信したか否かを判定する。具体的には、入力イベント受信部３０１により、クライアント端末１０３からＬＡＮ１０２を介して送信される入力イベント信号を受信したか否かを判定する。例えば、クライアント端末１０３で、ポインティングデバイスによるクリックや移動が行われると、クライアント端末１０３は、そのクリックや移動の情報と共に、その指示された座標を入力イベントとして画像処理装置１０１に送信する。これにより画像処理装置１０１は、その入力イベントを受信することになる。Ｓ４０６で、ＣＰＵ２０１が入力イベントを受信したと判定した場合はＳ４０７に進むが、そうでないときはＳ４０８に進む。Ｓ４０７でＣＰＵ２０１は、受信した入力イベントを処理して画像情報を更新してＳ４０８に処理を進める。
【００２８】
具体的には、入力イベント作成部３０２は、受信した入力イベント信号に基づいて、画像処理装置１０１に対する入力イベント信号を生成して画像データ作成部３０３に送る。これにより画像データ作成部３０３は、その入力イベントを実行した後の内容を反映した画像情報を作成し、ＲＡＭ２０３の仮想ＶＲＡＭ領域に保持する。例えば、受信した入力イベントがポインティングデバイスの移動である場合、画像データ作成部３０３は、その移動の情報と共に、その受信した座標を基にカーソルの位置を変更して（カーソルを移動して）画像情報を作成し表示する。
【００２９】
Ｓ４０８でＣＰＵ２０１は、ＲＡＭ２０３の仮想ＶＲＡＭ領域に保持している画像情報をクライアント端末１０３に送信する。これによりクライアント端末１０３は、その受信した画像情報を保持し、クライアント端末１０３の表示部に表示する。次にＳ４０９に進みＣＰＵ２０１は、ＲＡＭ２０３の仮想ＶＲＡＭ領域が保持する画像情報をＶＲＡＭ２０４に書き込み、操作部Ｉ／Ｆ２０６を介して操作部２１０の表示部に表示する。
【００３０】
次にＳ４１０に進みＣＰＵ２０１は、クライアント端末１０３との通信が切断されたか否かを判定する。ここでクライアント端末１０３との通信が切断されたと判定した場合はＳ４１１に進むが、そうでないときはＳ４０３に戻る。Ｓ４１１でＣＰＵ２０１は、画像情報に合成されているカーソルのイメージを削除してカーソルを消去する。そしてＳ４１２に進みＣＰＵ２０１は、ＲＡＭ２０３の仮想ＶＲＡＭ領域が保持する画像情報をＶＲＡＭ２０４に書き込み、操作部Ｉ／Ｆ２０６を介して操作部２１０の表示部に表示する。これによりＳ４１２では、画像情報にカーソルを合成せずに仮想ＶＲＡＭ領域に記憶しているため、ＣＰＵ２０１は、カーソルを表示しない状態で操作部２１０の表示部に画像を表示する。カーソルを削除する代わりに、カーソル操作が閲覧できないように仮想キーボード上にマスク画像を重畳させるなどの制限を行なってもよい。マスク画像の重畳は、画像処理装置１０１が行ってもよいし、クライアント端末１０３が行うこととしてもよい。
【００３１】
このような処理を実行することにより、クライアント端末１０３にカーソルを含む画像情報を送信して、クライアント端末１０３の表示部に表示させることができる。またクライアント端末１０３に送信する画像情報が、例えばパスワードの入力画面のようなセキュリティに関する画面の場合は、カーソルを含まない画像情報を送信することができる。これにより、セキュリティに関する画面では、画像処理装置１０１で、どのキーが選択されたかがクライアント端末のユーザに知られてしまうのを防止できる。
【００３２】
図５は、本実施形態に係る画像処理装置１０１がＶＲＡＭ２０４に記憶した画像情報を操作部２１０の表示部に表示した例を示す図である。
【００３３】
図５（Ａ）は、画像処理装置１０１がカーソルを表示すると判定した場合に、操作部２１０に表示される設定画面５０１の一例を示す。この設定画面５０１は、画像処理装置１０１が持つ様々な機能をユーザに選択、指示させるための画面である。カーソル５０２は、入力イベントに応じて移動するオブジェクトである。この状態で、ユーザが秘匿性のある情報を入力する場合、カーソルの動きがクライアント端末１０３に送信されてしまい、操作内容がクライアント端末１０３のユーザに伝わってしまう。
【００３４】
これに対して図５（Ｂ）は、画像処理装置１０１がカーソルを表示しない判断を行った状態のときに、操作部２１０に表示されるキーボード画面５０３の一例を示す。このキーボード画面５０３は、画像処理装置１０１が、宛先として電子メールアドレスをユーザに入力させる画面である。
【００３５】
これにより、このキーボード画面５０３を介してユーザが宛先を入力する場合、カーソルの動きで宛先の入力内容がクライアント端末１０３を操作しているオペレータから確認できないようになる。これにより、宛先の入力に対するセキュリティを保持することができる。
【００３６】
以上説明したように実施形態によれば、画像処理装置１０１を操作しているユーザが操作部２１０の表示部でパスワード等のセキュリティ情報を入力する場合に、その秘匿性を確保することが可能となる。それと同時にクライアント端末１０３を操作しているオペレータがＶＮＣを利用して、画像処理装置１０１を遠隔操作してセキュリティ情報を入力する場合にも、その秘匿性を確保することが可能となる。
【００３７】
尚、実施形態では、画像処理装置１０１がパスワードの入力画面を表示しているか否かに応じて、カーソルを表示するか、非表示にするかを切替えたが、別の条件で判断しても構わない。例えば、画像処理装置１０１を利用しているユーザの指示によって、カーソルの表示／非表示を切り替えるようにしてもよい。具体的には、画像処理装置１０１の操作部２１０の表示部にカーソルを表示するかしないかの選択ボタンを表示し、ユーザがそのボタンで非表示を選択している場合は、カーソルを表示しないようにしても良い。これにより、任意のタイミングでカーソルの表示／非表示を切り替えることができ、ユーザの利便性を向上できる効果がある。
【００３８】
また、クライアント端末からのイベントの種類に応じて、カーソルの表示／非表示を切り替えるようにしてもよい。例えば、クライアント端末からカーソル非表示イベントを受け付けることができるようにしてもよい。その場合、例えばＳ４０５でカーソルを表示した後、クライアント端末からカーソル非表示イベントを受け付けたときは、直ちに、カーソルの表示を消す処理を行う。これにより、クライアント端末からカーソルの表示／非表示を切り替えることが可能となり、クライアント端末における操作の利便性が向上する効果がある。
【００３９】
尚、上述の実施形態では、秘匿性を有する情報の一例として、パスワードの入力の例で説明したが、例えばシリアル番号やフォルダのパス名や、その他の機密情報などの情報も秘匿性を有する情報としてもよい。また秘匿性を有する情報として、住所や電話番号のように個人情報（プライバシー）を含む情報であっても良い。こうして秘匿性を有する情報を入力する場合に、カーソルの表示を制限することができる。
【００４０】
以上説明したように本実施形態によれば、遠隔地の端末からの操作軌跡を確認するために画像処理装置の操作部にカーソルを表示しているとき、画像処理装置にセキュリティ画面を表示するときは、遠隔地の端末の画面上のカーソルを非表示にできる。これにより、画像処理装置における操作が遠隔地の端末で把握されないため、画像処理装置における操作の機密性を保つことができる。これにより、画像処理装置における作業支援の効率を向上させるとともに、セキュリティを向上させることが可能となる。
【００４１】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００４２】
１００…画像処理装置、１０３…クライアント端末、２０１…ＣＰＵ、２１０…操作部、２１１…プリンタ、２１２…スキャナ
【図１】
2018097750.tif 000003
【図２】
2018097750.tif 000004
【図３】
2018097750.tif 000005
【図４】
2018097750.tif 000006
【図５】
2018097750.tif 000007